(57)【要約】    【課題】      環境の変化に追従し、送信時のチャネル品質に適したＴＦＣを選択すること。    【解決手段】  所要ＳＩＲ計算部１７０は、通信品質（ＱｏＳ）に基づいて目標ＢＬＥＲ（Target Block Error Rate）を規定、ＤＰＣＣＨ及び各ＴＦＣについて、目標ＢＬＥＲを満たすのに必要な所要ＳＩＲを計算する。オフセット計算部１７１は、各ＴＦＣの所要ＳＩＲとＤＰＣＣＨの所要ＳＩＲとの差分を各ＴＦＣのオフセットとして計算する。送信電力計算部１７２は、ＤＰＣＣＨの送信電力に各ＴＦＣのオフセットを加算することにより各ＴＦＣの送信電力を計算する。上限値計算部１７３は、総送信電力からＤＰＣＣＨの送信電力を減算することによりＴＦＣの送信電力の上限値を計算する。ＴＦＣ選択部１７４は、上限値を下回る送信電力のＴＦＣの中から１つのＴＦＣを選択する。  【選択図】      図１
2005229393.tif 000002
【特許請求の範囲】
【請求項１】
個別制御チャネルの送信電力に各ＴＦＣ（トランスポートフォーマットコンビネーション）のオフセットを加算することにより各ＴＦＣの送信電力を計算する送信電力計算手段と、
総送信電力から前記個別制御チャネルの送信電力を減算してＴＦＣの送信電力の上限値を算出する上限値計算手段と、
前記上限値を下回る送信電力のＴＦＣの中から１つのＴＦＣを選択するＴＦＣ選択手段と、を具備することを特徴とする通信端末装置。
【請求項２】
前記各ＴＦＣのオフセットに調整値を加算することにより前記オフセットを調整するオフセット調整手段を具備し、
送信電力計算手段は、前記調整後のオフセットを用いて各ＴＦＣの送信電力を計算することを特徴とする請求項１記載の通信端末装置。
【請求項３】
前記個別制御チャネル及び前記各ＴＦＣについて、目標ブロックエラーレートを満たすＳＩＲ（希望波電力と干渉波電力との比）である所要ＳＩＲを計算する所要ＳＩＲ計算手段と、
前記各ＴＦＣの所要ＳＩＲと前記個別制御チャネルの所要ＳＩＲとの差分を前記各ＴＦＣのオフセットとして計算するオフセット計算手段と、を具備することを特徴とする請求項１又は請求項２記載の通信端末装置。
【請求項４】
前記ＴＦＣの送信電力の上限値から伝搬ロスを減算して、基地局装置において受信可能なＴＦＣの最大受信電力である予想最大受信電力を計算し、前記予想最大受信電力を前記基地局装置における全目標干渉電力値で除すことにより、前記基地局装置において所定の品質を得られると予想される必要最低限のＳＩＲである予想ＳＩＲを計算する予想ＳＩＲ計算手段を具備し、
ＴＦＣ選択手段は、送信電力が前記上限値を下回り、かつ、前記所要ＳＩＲが前記予想ＳＩＲを下回るＴＦＣの中から１つのＴＦＣを選択することを特徴とする請求項３記載の通信端末装置。
【請求項５】
前記基地局装置から送信された共通制御チャネルのデータに含まれる前記共通制御チャネルの送信電力から前記共通制御チャネルの受信電力を減算して前記伝搬ロスを計算する伝搬ロス計算手段を具備することを特徴とする請求項４記載の通信端末装置。
【請求項６】
ＴＦＣ選択手段は、前記基地局装置においてパケットデータを正しく復調することができた場合にはＴＦＣのレベルを上げ、前記基地局装置においてパケットデータを正しく復調することができず誤りが検出された場合にはＴＦＣのレベルを下げることを特徴とする請求項１から請求項５のいずれかに記載の通信端末装置。
【請求項７】
個別制御チャネルの送信電力に各ＴＦＣ（トランスポートフォーマットコンビネーション）のオフセットを加算することにより各ＴＦＣの送信電力を計算する工程と、
総送信電力から前記個別制御チャネルの送信電力を減算してＴＦＣの送信電力の上限値を算出する工程と、
前記上限値を下回る送信電力のＴＦＣの中から１つのＴＦＣを選択する工程と、を具備することを特徴とするＴＦＣ選択方法。
【発明の詳細な説明】
【技術分野】
【０００１】
本発明は、ＣＤＭＡ方式の無線通信システムに使用される通信端末装置及びそのＴＦＣ選択方法に関する。
【背景技術】
【０００２】
ＷＣＤＭＡ方式において下り回線でパケットデータを伝送する技術として、ＨＳＤＰＡ（High-Speed Downlink Packet Access）と呼ばれる高速パケット伝送方式が知られている。また、Uplink Enhancementと呼ばれる上り回線におけるパケット伝送の高速化、低遅延化の検討が進められている。
【０００３】
無線通信システムの上り回線では、通信端末装置の総送信電力が最大送信電力を超えてしまう場合、いずれかのチャネルの送信を停止する、もしくは、伝送レートを下げる等の制御を行い、総送信電力が最大送信電力を超えないようにすることが必要となる。Ｗ-ＣＤＭＡの３ＧＰＰのRelease99仕様では、Uplink Enhancementにおいてこれを実現する方法としてトランスポートフォーマットコンビネーションセレクション(Transport Format Combination Selection：以下、「ＴＦＣ選択」という）が標準化されている。
【０００４】
ＴＦＣ選択では、通信端末装置が、複数のＤＣＨ（個別チャネル)でデータを多重して伝送する場合に、各ＤＣＨで送信するデータ量等を示すトランスポートフォーマット（Transport Format：以下、「ＴＦ」と省略する)の組合せであるトランスポートフォーマットコンビネーション(Transport Format Combination：以下、「ＴＦＣ」と省略する)毎に総送信電力が最大送信電力を超えないか否かを判定し、送信可能なＴＦＣを選択する。なお、以下の説明において、全てのＴＦＣの集合をＴＦＣＳ（Transport Format Combination Set）という。
【０００５】
以下、ＴＦＣ選択について図面を用いて具体的に説明する。図８では、ＤＣＨが２つで、ＤＣＨ＃１には３つのＴＦがあり、ＤＣＨ＃２には２つのＴＦがある場合を示す（図８（Ａ））。この場合、図８（Ｂ）に示すように、ＴＦＣ１〜ＴＦＣ６の６通りのＴＦＣが存在することになる。なお、図８（Ａ）、（Ｂ）では、各ＴＦのビット数を横軸の長さで表している。
【０００６】
ここで、単位時間に送信しなければならないビット数が増えるほど伝送レートを速くする必要があり、所定の品質を得るためには伝送レートが速いほど送信電力を高くしなければならない。図８（Ｃ）では各ＴＦＣの送信電力を横軸の長さで表し、点線は最大送信電力Ｐmaxを示している。
【０００７】
図８（Ｃ）の場合、通信端末装置は、ＴＦＣＳにおけるＴＦＣ１〜ＴＦＣ３において総送信電力が最大送信電力Ｐmaxを下回るので送信可能と判定し、ＴＦＣＳにおけるＴＦＣ４〜ＴＦＣ６において総送信電力が最大送信電力Ｐmaxを上回り送信電力が足りないため送信不可能と判定する。そして、通信端末装置は、送信可能と判定したＴＦＣ１〜ＴＦＣ３の中から１つのＴＦＣを選択する。
【０００８】
次に、Release99のＴＦＣ選択における検出機能及びＴＦＣＳ制限機能について、図面を用いて説明する。
【０００９】
図９の状態遷移図に示すように、通信端末装置は、検出機能として、１フレーム（＝１５スロット）毎に、全てのＴＦＣについてElimination criterion/Recovery criterionの検出を行う。具体的には、Supported state（送信可能状態）であるＴＦＣについて、そのＴＦＣに必要な送信電力が最大送信電力を超えることが直前の連続するＹ[slot]のうち少なくともＸ[slot]（Ｘは連続でなくても良い）あった場合に、Elimination criterionが検出され、Excess power state（電力過剰状態）に遷移する。また、Excess power stateであるＴＦＣについて、そのＴＦＣに必要な送信電力が最大送信電力を超えないことが直前の連続するＺ[slot]あった場合に、Recovery criterionが検出され、Supported stateに遷移する。なお、パラメータＸ、Ｙ、Ｚは図１０に示す値をデフォルト値とする。
【００１０】
また、通信端末装置は、ＴＦＣＳ制限機能として、１フレーム（＝１５スロット）毎に、全てのＴＦＣについて、Blocked state（送信停止状態）の場合には送信不可とし、Supported stateの場合には送信可とする制限処理を行う。
【００１１】
図１１は、ＴＦＣＳ制限機能のタイミングを示す図である。図１１に示すように、従来のＴＦＣ選択方法では、検出機能でSupported stateに遷移してからＴdelay_transition（デフォルト値は６０ms）後にＴＦＣＳ制限機能でSupported stateに遷移する。また、検出機能でExcess power stateに遷移してからＴdelay_transition後にＴＦＣＳ制限機能でBlocked stateに遷移する。
【非特許文献１】3GPP  Release99  TR25.896
【発明の開示】
【発明が解決しようとする課題】
【００１２】
しかしながら、従来のＴＦＣ選択方法では、検出機能で状態を遷移してからＴＦＣＳ制限機能で状態を遷移するまでに所定の時間がかかるため、フェージング変動が激しい環境下においては環境の変化に追従することができず、送信時のチャネル品質に適したＴＦＣを選択することができない。この結果、基地局装置において誤りが検出されることが多くなり、システム全体のスループットが低下してしまうと考えられる。
【００１３】
本発明はかかる点に鑑みてなされたものであり、環境の変化に追従し、送信時のチャネル品質に適したＴＦＣを選択することができる通信端末装置及びＴＦＣ選択方法を提供することを目的とする。
【課題を解決するための手段】
【００１４】
かかる課題を解決するため、本発明の通信端末装置は、個別制御チャネルの送信電力に各ＴＦＣ（トランスポートフォーマットコンビネーション）のオフセットを加算することにより各ＴＦＣの送信電力を計算する送信電力計算手段と、総送信電力から前記個別制御チャネルの送信電力を減算してＴＦＣの送信電力の上限値を算出する上限値計算手段と、前記上限値を下回る送信電力のＴＦＣの中から１つのＴＦＣを選択するＴＦＣ選択手段と、を具備する構成を採る。
【００１５】
この構成により、ＴＦＣ選択をスロット単位で行うことができるので、フェージング変動が激しい環境下においても環境の変化に追従し、送信時のチャネル品質に適したＴＦＣ選択を行うことができ、システム全体のスループット向上を図ることができる。
【００１６】
本発明の通信端末装置は、前記各ＴＦＣのオフセットに調整値を加算することにより前記オフセットを調整するオフセット調整手段を具備し、送信電力計算手段は、前記調整後のオフセットを用いて各ＴＦＣの送信電力を計算する構成を採る。
【００１７】
この構成により、ＴＦＣの送信電力を計算する際に用いるオフセットを調整し、伝搬環境が悪いときにＴＦＣの送信電力を上げることができるので、基地局装置におけるエラー発生率を抑え、通信システムのスループットの改善を図ることができる。
【００１８】
本発明の通信端末装置は、前記個別制御チャネル及び前記各ＴＦＣについて、目標ブロックエラーレートを満たすＳＩＲ（希望波電力と干渉波電力との比）である所要ＳＩＲを計算する所要ＳＩＲ計算手段と、前記各ＴＦＣの所要ＳＩＲと前記個別制御チャネルの所要ＳＩＲとの差分を前記各ＴＦＣのオフセットとして計算するオフセット計算手段と、を具備する構成を採る。
【００１９】
この構成により、各ＴＦＣのオフセットを、各ＴＦＣの所要ＳＩＲと個別制御チャネルのＳＩＲとの差分とすることができるので、所定の通信品質を満足することができる適当なＴＦＣのオフセットを設定することができる。
【００２０】
本発明の通信端末装置は、前記ＴＦＣの送信電力の上限値から伝搬ロスを減算して、基地局装置において受信可能なＴＦＣの最大受信電力である予想最大受信電力を計算し、前記予想最大受信電力を前記基地局装置における全目標干渉電力値で除すことにより、前記基地局装置において所定の品質を得られると予想される必要最低限のＳＩＲである予想ＳＩＲを計算する予想ＳＩＲ計算手段を具備し、ＴＦＣ選択手段は、送信電力が前記上限値を下回り、かつ、前記所要ＳＩＲが前記予想ＳＩＲを下回るＴＦＣの中から１つのＴＦＣを選択する構成を採る。
【００２１】
この構成により、個別制御チャネルの送信電力とオフセットを用いて計算した各ＴＦＣの送信電力に加えて、基地局装置において必要な予想ＳＩＲと各ＴＦＣの所要ＳＩＲの関係に基づいてＴＦＣ選択を行うことができるので、さらに正確なＴＦＣ選択を行うことができる。
【００２２】
本発明の通信端末装置は、前記基地局装置から送信された共通制御チャネルのデータに含まれる前記共通制御チャネルの送信電力から前記共通制御チャネルの受信電力を減算して前記伝搬ロスを計算する伝搬ロス計算手段を具備する構成を採る。
【００２３】
この構成により、共通制御チャネルが上り回線の個別チャネルのパイロットシンボルに比べて電力が大きくシンボルが長いことから、信頼度の高い値を得ることができる。
【００２４】
本発明の通信端末装置は、ＴＦＣ選択手段は、前記基地局装置においてパケットデータを正しく復調することができた場合にはＴＦＣのレベルを上げ、前記基地局装置においてパケットデータを正しく復調することができず誤りが検出された場合にはＴＦＣのレベルを下げる構成を採る。
【００２５】
この構成により、選択されたＴＦＣを調整し、伝搬環境が悪いときにＴＦＣのレベルを下げることができるので、基地局装置におけるエラー発生率を抑え、通信システムのスループットの改善を図ることができる。
【００２６】
本発明のＴＦＣ選択方法は、個別制御チャネルの送信電力に各ＴＦＣ（トランスポートフォーマットコンビネーション）のオフセットを加算することにより各ＴＦＣの送信電力を計算する工程と、総送信電力から前記個別制御チャネルの送信電力を減算してＴＦＣの送信電力の上限値を算出する工程と、前記上限値を下回る送信電力のＴＦＣの中から１つのＴＦＣを選択する工程と、を具備する方法をとる。
【００２７】
この方法により、ＴＦＣ選択をスロット単位で行うことができるので、フェージング変動が激しい環境下においても環境の変化に追従し、送信時のチャネル品質に適したＴＦＣ選択を行うことができ、システム全体のスループット向上を図ることができる。
【発明の効果】
【００２８】
本発明によれば、ＴＦＣ選択をスロット単位で行うことができるので、フェージング変動が激しい環境下においても環境の変化に追従し、送信時のチャネル品質に適したＴＦＣ選択を行うことができ、システム全体のスループット向上を図ることができる。
【発明を実施するための最良の形態】
【００２９】
以下、本発明の実施の形態について図面を参照して詳細に説明する。
【００３０】
（実施の形態１）
図１は、本発明の実施の形態１に係る通信端末装置の構成を示すブロック図である。
【００３１】
まず、図１の通信端末装置の受信部の構成について説明する。
【００３２】
受信無線部１０２は、アンテナ１０１に受信された信号をベースバンド信号にダウンコンバートし、Ａ／Ｄ変換処理を行う。
【００３３】
逆拡散部１０３は、受信無線部１０２の出力信号に対してＤＣＨ用の拡散コードで逆拡散処理を行う。復調部１０４は、逆拡散部１０３の出力信号に対して復調処理を行う。チャネルデコード部１０５は、復調部１０４の出力信号に対して復号処理を行い、受信ＤＣＨデータ、ＡＣＫ／ＮＡＣＫ及び上り回線用の送信電力制御コマンド（以下、「ＵＬ−ＴＰＣ」という）を取り出す。ＡＣＫ／ＮＡＣＫは、バッファ１７６−１〜１７６−Ｎに入力される。ＵＬ−ＴＰＣは、送信電力制御部１５４に入力される。なお、ＡＣＫとは基地局装置においてパケットデータを正しく復調することができたことを示す信号であり、ＮＡＣＫとは、基地局装置においてパケットデータを正しく復調することができず、誤りが検出されたことを示す信号である。
【００３４】
ＳＩＲ測定部１０６は、逆拡散部１０３の出力信号の希望波電力を測定し、希望波電力の分散値から干渉波電力を算出し、希望波電力と干渉波電力との比（以下、「ＳＩＲ」という）を測定する。ＴＰＣ生成部１０７は下り回線の受信ＳＩＲと目標ＳＩＲとの大小関係により、下り回線の送信電力の増減を指示する下り回線用の送信電力制御コマンド（以下、「ＤＬ−ＴＰＣ」という）を生成する。ＤＬ−ＴＰＣはチャネルエンコード部１５１に入力される。
【００３５】
逆拡散部１０９は、受信無線部１０２の出力信号に対してＣＰＩＣＨ（共通制御チャネル）用の拡散コードで逆拡散処理を行う。復調部１１０は、逆拡散部１０９の出力信号に対して復調を行う。チャネルデコード部１１１は、デコードを行い、ＣＰＩＣＨのデータを取り出す。
【００３６】
次に、図１の通信端末装置の送信部の構成について説明する。
【００３７】
チャネルエンコード部１５１は、パイロットシンボル（ＰＩＬＯＴ）およびＤＬ−ＴＰＣに対して符号化処理を行う。変調部１５２は、チャネルエンコード部１５１の出力信号に対して変調処理を行う。拡散部１５３は、変調部１５２の出力信号に対して拡散処理を行う。送信電力制御部１５４は、記憶している送信電力をＵＬ−ＴＰＣに基づいて増減し、増幅部１５５を制御する。増幅部１５５は、送信電力制御部１５４の制御に基づいて拡散部１５３の出力信号を増幅し、ＤＰＣＣＨ（個別制御チャネル）の信号として送信無線部１８２に出力する。
【００３８】
所要ＳＩＲ計算部１７０は、通信品質（ＱｏＳ）に基づいて目標ＢＬＥＲ（Target Block Error Rate）を規定する。また、所要ＳＩＲ計算部１７０は、図２に示すように、ＤＰＣＣＨ及び各ＴＦＣについてＳＩＲとＢＬＥＲとの相関関係を示すテーブルを内部に記憶し（図２の２０１〜２０６）、ＤＰＣＣＨ及び各ＴＦＣについて、図２の破線で示される目標ＢＬＥＲを満たすのに必要なＳＩＲ（以下、「所要ＳＩＲ」という）を計算し（図２の２０７〜２１２）、計算結果をオフセット計算部１７１に出力する。
【００３９】
オフセット計算部１７１は、所要ＳＩＲ計算部１７０から出力された各ＴＦＣの所要ＳＩＲとＤＰＣＣＨの所要ＳＩＲとの差分（図２の２１３〜２１７）を各ＴＦＣのオフセットとして送信電力計算部１７２に出力する。
【００４０】
送信電力計算部１７２は、ＤＰＣＣＨの送信電力に各ＴＦＣのオフセットを加算することにより各ＴＦＣの送信電力を計算する。この結果、各ＴＦＣの送信電力は、図３に示すように、ＤＰＣＣＨの送信電力に対して所定のオフセットを有することとなる。送信電力計算部１７２は、算出した各ＴＦＣの送信電力をＴＦＣ選択部１７４に出力する。
【００４１】
上限値計算部１７３は、総送信電力からＤＰＣＣＨの送信電力を減算することによりＴＦＣの送信電力の上限値を計算し、計算した上限値をＴＦＣ選択部１７４に出力する。
【００４２】
ＴＦＣ選択部１７４は、上限値を下回る送信電力のＴＦＣの中から１つのＴＦＣを選択し、選択したＴＦＣをＴＦＣ決定部１７５に出力する。また、ＴＦＣ選択部１７４は、選択したＴＦＣの送信電力を送信電力制御部１８０に出力する。
【００４３】
ＴＦＣ決定部１７５は、基地局装置における上り回線の全受信干渉電力（Rise over Thermal noise）の目標値（Target ＲｏＴ）等に基づいて、ＴＦＣ選択部１７４にて選択されたＴＦＣの各ＴＦを、対応するバッファ１７６−１〜１７６−Ｎに指示する。
【００４４】
各バッファ１７６−１〜１７６−Ｎは、対応するＤＣＨ＃１〜＃Ｎのデータを一時的に蓄積し、後述するＴＦＣ決定部１７５から指示されたＴＦに対応するデータをチャネルエンコード部１７７に出力する。なお、各バッファ１７６−１〜１７６−Ｎは、ＡＣＫを入力した場合には未だ送信していないデータ（新規データ）を出力し、ＮＡＣＫを入力した場合には既に送信したデータ（再送データ）を出力する。
【００４５】
チャネルエンコード部１７７は、各バッファ１７６−１〜１７６−Ｎの出力信号に対して符号化処理を行う。変調部１７８は、チャネルエンコード部１７７の出力信号に対して変調処理を行う。拡散部１７９は、変調部１７８の出力信号に対して拡散処理を行う。送信電力制御部１８０は、ＴＦＣ選択部１７４から出力された送信電力となるように増幅部１８１を制御する。増幅部１８１は、送信電力制御部１８０の制御に基づいて拡散部１７９の出力信号を増幅し、ＤＰＤＣＨ（個別データチャネル）の信号として送信無線部１８２に出力する。
【００４６】
送信無線部１８２は、ＤＰＣＣＨ及びＤＰＤＣＨの信号を多重し、Ｄ／Ａ変換処理およびアップコンバートを行ってアンテナ１０１より無線送信する。
【００４７】
このように、本実施の形態によれば、ＤＰＣＣＨの送信電力とオフセットを用いて計算した各ＴＦＣの送信電力に基づいてＴＦＣ選択を行うことにより、ＤＬ−ＴＰＣがスロット毎に受信されることから、ＤＰＣＣＨ及びＤＰＤＣＨの送信電力制御、ＴＦＣ選択もスロット単位で行うことができるので、フェージング変動が激しい環境下においても環境の変化に追従し、送信時のチャネル品質に適したＴＦＣ選択を行うことができ、システム全体のスループット向上を図ることができる。
【００４８】
また、各ＴＦＣのオフセットを、各ＴＦＣの所要ＳＩＲとＤＰＣＣＨのＳＩＲとの差分とすることにより、所定の通信品質を満足することができる適当なＴＦＣのオフセットを設定することができる。
【００４９】
なお、本発明では、オフセットの計算方法について、本実施の形態の方法に限られず、他の計算方法を用いても良く、オフセットは固定であっても良い。
【００５０】
（実施の形態２）
図４は、本実施の形態に係る通信端末装置の構成を示すブロック図である。なお、図４において、図１と共通する構成部分には図１と同一の符号を付して説明を省略する。
【００５１】
図４の通信端末装置は、図１と比較して、受信電力測定部４０１と、伝搬ロス計算部４５１と、予想ＳＩＲ計算部４５２とを追加した構成を取る。また、図４の通信端末装置は、ＴＦＣ選択部１７４の作用が図１と異なる。
【００５２】
所要ＳＩＲ計算部１７０は、ＤＰＣＣＨ及び各ＴＦＣについて計算した所要ＳＩＲをオフセット計算部１７１及びＴＦＣ選択部１７４に出力する。
【００５３】
受信電力測定部４０１は、ＣＰＩＣＨの受信電力（以下、「ＰＲＸ−ＢＳ」という）を測定し、測定したＰＲＸ−ＢＳを伝搬ロス計算部４５１に出力する。
【００５４】
伝搬ロス計算部４５１は、ＣＰＩＣＨデータに含まれるＣＰＩＣＨの送信電力（以下、「ＰＴＸ−ＢＳ」という）から、受信電力測定部４０１から出力されたＰＲＸ−ＢＳを減算して伝搬ロスを計算し、計算した伝搬ロスを予想ＳＩＲ計算部４５２に出力する。ここで、ＣＰＩＣＨを用いて伝搬ロスを計算することのメリットとして、ＣＰＩＣＨが上り回線の個別チャネルのパイロットシンボルに比べて電力が大きくシンボルが長いことから、信頼度の高い値を得ることが挙げられる。なお、ＦＤＤの場合、上り回線と下り回線とで周波数が異なるため、伝搬ロスが若干異なるがその差は小さい。
【００５５】
上限値計算部１７３は、算出したＴＦＣの送信電力の上限値をＴＦＣ選択部１７４及び予想ＳＩＲ計算部４５２に出力する。
【００５６】
予想ＳＩＲ計算部４５２は、ＴＦＣの送信電力の上限値から伝搬ロスを減算して、基地局装置において受信可能なＴＦＣの最大受信電力（以下、「予想最大受信電力」という）を計算する。そして、予想ＳＩＲ計算部４５２は、予想最大受信電力を、ＣＰＩＣＨデータに含まれる全目標干渉電力値（ＲｏＴ）で除すことにより、基地局装置において所定の品質を得られると予想される必要最低限のＳＩＲ（以下、「予想ＳＩＲ」という）を計算し、計算した予想ＳＩＲをＴＦＣ選択部１７４に出力する。
【００５７】
ＴＦＣ選択部１７４は、送信電力が上限値を下回り、かつ、所要ＳＩＲが予想ＳＩＲを下回るＴＦＣの中から１つのＴＦＣを選択し、選択したＴＦＣをＴＦＣ決定部１７５に出力する。また、ＴＦＣ選択部１７４は、選択したＴＦＣの送信電力を送信電力制御部１８０に出力する。
【００５８】
このように、本実施の形態によれば、ＤＰＣＣＨの送信電力とオフセットを用いて計算した各ＴＦＣの送信電力に加えて、基地局装置において必要な予想ＳＩＲと各ＴＦＣの所要ＳＩＲの関係に基づいてＴＦＣ選択を行うことにより、上記実施の形態１の効果に加え、さらに上記実施の形態よりも正確なＴＦＣ選択を行うことができる。
【００５９】
（実施の形態３）
実施の形態３では、通信中に、各ＴＦＣの送信電力を計算する際のオフセットを調整する場合について説明する。
【００６０】
図５は、本実施の形態に係る通信端末装置の構成を示すブロック図である。なお、図４において、図１と共通する構成部分には図１と同一の符号を付して説明を省略する。
【００６１】
図５の通信端末装置は、図１と比較して、オフセット調整部５５１を追加した構成を取る。
【００６２】
オフセット計算部１７１は、各ＴＦＣのオフセットをオフセット調整部５５１に出力する。
【００６３】
オフセット調整部５５１は、図６に示す各ＴＦＣ、オフセット及びオフセットの調整値とを対応づけたテーブルを内部に記憶し、各ＴＦＣのオフセット（offset1〜offset6）に調整値（Δ1〜Δ6）を加算することにより、オフセットを調整し、調整後のオフセットを送信電力計算部１７２に出力する。
【００６４】
なお、オフセット調整部５５１におけるオフセットの調整方法として、基地局装置からＡＣＫが返ってきた場合には調整値を下げ、ＮＡＣＫが返ってきた場合には調整値を上げることが考えられる。
【００６５】
このように、本実施の形態によれば、ＴＦＣの送信電力を計算する際に用いるオフセットを調整し、伝搬環境が悪いときにＴＦＣの送信電力を上げることができるので、基地局装置におけるエラー発生率を抑え、通信システムのスループットの改善を図ることができる。
【００６６】
なお、実施の形態３は実施の形態２と組み合わせることができる。
【００６７】
（実施の形態４）
実施の形態４は、選択されたＴＦＣを、基地局装置から返されるＡＣＫ／ＮＡＣＫ等に基づいてＴＦＣを調整する場合について説明する。
【００６８】
図７は、本実施の形態に係る通信端末装置の構成を示すブロック図である。なお、図７において、図１と共通する構成部分には図１と同一の符号を付して説明を省略する。
【００６９】
図７の通信端末装置は、ＴＦＣ選択部１７４の作用が図１と異なる。
【００７０】
ＴＦＣ選択部１７４は、まず、上限値を下回る送信電力のＴＦＣの中から１つのＴＦＣを選択する。そして、ＴＦＣ選択部１７４は、基地局装置からＡＣＫが返ってきた場合にはＴＦＣのレベルを上げ、ＮＡＣＫが返ってきた場合にはＴＦＣのレベルを下げるようにＴＦＣを調整し、調整後のＴＦＣをＴＦＣ決定部１７５に出力する。
【００７１】
このように、本実施の形態によれば、選択されたＴＦＣを調整し、伝搬環境が悪いときにＴＦＣのレベルを下げることができるので、基地局装置におけるエラー発生率を抑え、通信システムのスループットの改善を図ることができる。
【００７２】
なお、実施の形態４は、実施の形態２、３と組み合わせることができる。
【産業上の利用可能性】
【００７３】
本発明は、ＣＤＭＡ方式の無線通信システムに使用され、ＴＦＣ選択を行う通信端末装置に用いるに好適である。
【図面の簡単な説明】
【００７４】
【図１】本発明の実施の形態１に係る通信端末装置の構成を示すブロック図
【図２】ＳＩＲとＢＬＥＲとの相関関係を示すテーブル図
【図３】ＴＦＣの送信電力とＤＰＣＣＨの送信電力との関係を示す図
【図４】本発明の実施の形態２に係る通信端末装置の構成を示すブロック図
【図５】本発明の実施の形態３に係る通信端末装置の構成を示すブロック図
【図６】本発明の実施の形態３に係る通信端末装置の各ＴＦＣ、オフセット及びオフセットの調整値とを対応づけたテーブル図
【図７】本発明の実施の形態４係る通信端末装置の構成を示すブロック図
【図８】ＴＦＣ選択を説明するための図
【図９】ＴＦＣ選択の検出機能及びＴＦＣＳ制限機能を示す状態遷移図
【図１０】ＴＦＣ選択におけるパラメータを示す図
【図１１】ＴＦＣ選択の状態遷移と遅延の関係を示す図
【符号の説明】
【００７５】
１５１、１７７  チャネルエンコード部
１５２、１７８  変調部
１５３、１７９  拡散部
１５４、１８０  送信電力制御部
１５５、１８１  増幅部
１７１  オフセット計算部
１７２  送信電力計算部
１７４  ＴＦＣ選択部
１７５  ＴＦＣ決定部
１７６  バッファ
１８２  送信無線部
４０１  受信電力測定部
４５１  伝搬ロス計算部
４５２  予想ＳＩＲ計算部
５５１  オフセット調整部
【図１】
2005229393.tif 000003
【図２】
2005229393.tif 000004
【図３】
2005229393.tif 000005
【図４】
2005229393.tif 000006
【図５】
2005229393.tif 000007
【図６】
2005229393.tif 000008
【図７】
2005229393.tif 000009
【図８】
2005229393.tif 000010
【図９】
2005229393.tif 000011
【図１０】
2005229393.tif 000012
【図１１】
2005229393.tif 000013